(57)【要約】【課題】ＥＭＩ測定系における異常を検出することを可能とする。【解決手段】ＥＭＩ測定系異常検出装置１が，選択入力された周波数または周波数の範囲のデータを外来ノイズＤＢ１８から読み出して，スペクトラムアナライザ５またはテストレシーバ６に設定する。スペクトラムアナライザ５またはテストレシーバ６は，アンテナ昇降台２５から生じるノイズレベルを測定する。ＥＭＩ測定系異常検出装置１は，スペクトラムアナライザ５またはテストレシーバ６によって測定されたノイズレベルを読み取って，予め決められた閾値と比較し，測定されたノイズレベルが予め決められた閾値以下の場合は，ＥＭＩ測定系において異常が発生したと判断し，異常の発生を通知するメッセージを画面表示する。【選択図】図１
2006234612.tif 000002
【特許請求の範囲】
【請求項１】
ＥＭＩ測定系の異常を検出する装置であって，
特定の周波数のデータまたは特定の周波数の範囲のデータを，前記ＥＭＩ測定系におけるノイズレベルを測定するノイズレベル測定機器に対して設定する周波数設定手段と，
前記ノイズレベル測定機器によって測定された前記特定の周波数のノイズレベルまたは前記特定の周波数の範囲のノイズレベルを取得して，予め決められた閾値と比較するノイズレベル比較手段と，
前記ノイズレベル比較手段による比較結果に基づいて，前記ＥＭＩ測定系の異常を検出する異常検出手段とを備える
ことを特徴とするＥＭＩ測定系異常検出装置。
【請求項２】
ＥＭＩ測定系の異常を検出する装置であって，
特定の周波数のデータを前記ＥＭＩ測定系におけるノイズレベルを測定するテストレシーバに対して設定，または，特定の周波数の範囲のデータを前記ＥＭＩ測定系におけるノイズレベルを測定するスペクトラムアナライザに対して設定する周波数設定手段と，
前記テストレシーバまたは前記スペクトラムアナライザによって測定された前記特定の周波数のノイズレベルまたは前記特定の周波数の範囲のノイズレベルを取得して，予め決められた閾値と比較するノイズレベル比較手段と，
前記ノイズレベル比較手段による比較結果に基づいて，前記ＥＭＩ測定系の異常を検出する異常検出手段と，
前記異常検出手段により検出されたＥＭＩ測定系の異常を通知するメッセージを画面表示するメッセージ表示手段とを備える
ことを特徴とするＥＭＩ測定系異常検出装置。
【請求項３】
ＥＭＩ測定系の異常を検出する方法であって，
特定の周波数のデータまたは特定の周波数の範囲のデータを，前記ＥＭＩ測定系におけるノイズレベルを測定するノイズレベル測定機器に対して設定するステップと，
前記ノイズレベル測定機器によって測定された前記特定の周波数のノイズレベルまたは前記特定の周波数の範囲のノイズレベルを取得して，予め決められた閾値と比較するステップと，
前記比較結果に基づいて，前記ＥＭＩ測定系の異常を検出するステップとを有する
ことを特徴とするＥＭＩ測定系異常検出方法。
【請求項４】
ＥＭＩ測定系の異常を検出するプログラムであって，
特定の周波数のデータまたは特定の周波数の範囲のデータを，前記ＥＭＩ測定系におけるノイズレベルを測定するノイズレベル測定機器に対して設定する処理と，
前記ノイズレベル測定機器によって測定された前記特定の周波数のノイズレベルまたは前記特定の周波数の範囲のノイズレベルを取得して，予め決められた閾値と比較する処理と，
前記比較結果に基づいて，前記ＥＭＩ測定系の異常を検出する処理とを，
コンピュータに実行させるためのＥＭＩ測定系異常検出プログラム。
【請求項５】
ＥＭＩ測定系の異常を検出するプログラムを記録したコンピュータ読み取り可能な記録媒体であって，
特定の周波数のデータまたは特定の周波数の範囲のデータを，前記ＥＭＩ測定系におけるノイズレベルを測定するノイズレベル測定機器に対して設定する処理と，
前記ノイズレベル測定機器によって測定された前記特定の周波数のノイズレベルまたは前記特定の周波数の範囲のノイズレベルを取得して，予め決められた閾値と比較する処理と，
前記比較結果に基づいて，前記ＥＭＩ測定系の異常を検出する処理とを，
コンピュータに実行させるためのＥＭＩ測定系異常検出プログラムを記録した記録媒体。
【発明の詳細な説明】
【技術分野】
【０００１】
本発明は，ＥＭＩ測定系の異常検出技術に関し，特に，ＥＭＩ（Electro-Magnetic Interference ：電磁波妨害）測定の開始前に，特定の周波数のノイズレベルを測定し，その測定結果に基づいてＥＭＩ測定系に異常がないかどうかを検出する，ＥＭＩ測定系異常検出装置，ＥＭＩ測定系異常検出方法，ＥＭＩ測定系異常検出プログラムおよびそのプログラムを記録した記録媒体に関する。
【背景技術】
【０００２】
ＩＴＥ（Information Technology Equipment：情報処理装置）には各国のＥＭＩ（Electro-Magnetic Interference ：電磁波妨害）規制が義務付けられており，装置開発においてはＥＭＩ測定が頻繁に行われる。
【０００３】
ＥＭＩ測定では，国際規格ＣＩＳＰＲ（Comite International Special des Perturbations Radioelectrique）に基づき，３０ＭＨｚ〜１ＧＨｚの全周波数において，テストレシーバと呼ばれる電界強度測定器でノイズレベルのＱＰ値（Quasi-Peak：準尖頭値）を１０〜３０ポイント測定する。また，スペクトラムアナライザ（Spectrum Analyzer ）と呼ばれる測定器でノイズレベルのＰＥＡＫ値（尖頭値）の測定を行うこともある。
【０００４】
ＥＭＩ測定では，自動測定プログラムを準備しておき，ＥＵＴ（Equipment Under Test：被測定装置）をターンテーブルに乗せて，パソコン等を操作して，放射ノイズと伝導ノイズという２種類のノイズを測定する。
【０００５】
放射ノイズの測定については，ＥＵＴから放射される電波をアンテナで受信して，アンテナに接続したテストレシーバまたはスペクトラムアナライザで測定する。
【０００６】
アンテナには主に２００ＭＨｚ以下の低周波用のバイコニカルアンテナと，主に２００ＭＨｚ以上の高周波用のログペリオディックアンテナの２種類があり，測定したい周波数によってアンテナを交換しながら測定を進める。
【０００７】
伝導ノイズの測定については，ＥＵＴに接続されたＬＩＳＮ（Line Impedance Stabilization Network：擬似電源回路網）に電源コンセントを接続して，ＥＵＴから電源ラインに流れ出すノイズを，ＬＩＳＮと同軸ケーブルで接続されているテストレシーバまたはスペクトラムアナライザで測定する。
【０００８】
なお，具体的な従来技術として，下記の特許文献１に，放射電波の測定データ表示方法について記載されている。この特許文献１に記載された技術は，被測定装置の放射電波の測定データを外来ノイズの影響を補正して表示する技術であり，測定系におけるケーブル切断や測定機器の故障等の異常を検出することは意図していない。
【特許文献１】特開平５−１０９９６号公報
【発明の開示】
【発明が解決しようとする課題】
【０００９】
ＥＭＩ測定において，放射ノイズと伝導ノイズを交互に測定する場合は，テストレシーバやスペクトラムアナライザ等の測定機器に，アンテナとの接続ケーブル，ＬＩＳＮとの接続ケーブルを交互に接続するため，これらの接続ケーブルを測定機器に接続し忘れることがある。
【００１０】
特に，伝導ノイズを測定する場合，ＬＩＳＮをテストレシーバやスペクトラムアナライザ等の測定機器に接続したままＥＵＴの電源をＯＮ／ＯＦＦすると，ＯＮ／ＯＦＦ時の大きなノイズで測定機器が壊れることがあるため，ＥＵＴの電源をＯＮ／ＯＦＦするまでは，ＬＩＳＮと測定機器を接続するケーブルを抜いておくことが多い。このため，ＬＩＳＮとの接続ケーブルを測定機器に接続し忘れたまま測定を開始してしまうことが多い。
【００１１】
また，放射ノイズの測定時には，主に２００ＭＨｚ以下の低周波と２００ＭＨｚ以上の高周波を交互に測定するため，バイコニカルアンテナとログペリオディックアンテナを交互に取り付けて測定を進めることが多いが，バイコニカルアンテナとログペリオディックアンテナとの交換を忘れたまま測定してしまうことがある。
【００１２】
また，ＬＩＳＮの回路故障，ケーブル断線，コネクタ接続不良など，外観では見えないようなＥＭＩ測定系の異常に気付かずに測定を開始することもある。
【００１３】
このように，様々な要因によるＥＭＩ測定系の異常に気付かずに測定を開始してしまった場合は，測定したノイズレベルが非常に低くなることから，測定のやり直しが必要となる。装置開発段階では，数十回〜数百回のＥＭＩ測定を繰り返すため，測定のやり直しは装置開発の遅れにつながる。
【００１４】
本発明は，上記従来技術の問題点を解決し，ＥＭＩ測定系における異常を検出するＥＭＩ測定系異常検出装置，ＥＭＩ測定系異常検出方法，ＥＭＩ測定系異常検出プログラムおよびそのプログラムを記録した記録媒体の提供を目的とする。
【課題を解決するための手段】
【００１５】
上記課題を解決するため，本発明は，自動測定プログラムに以下の改善を加えることにより，ＥＭＩ測定の開始前に，ＥＭＩ測定系の異常を検出する。
【００１６】
本発明では，ＥＭＩ測定の開始前に，特定の周波数の範囲のノイズレベルまたは特定の周波数のノイズレベルをスペクトラムアナライザまたはテストレシーバを用いて測定する。測定したノイズレベルが予め決められた閾値以下なら，アンテナやＬＩＳＮが故障していたり，ＥＭＩ測定系においてケーブル断線が発生していると判断する。
【００１７】
すなわち，本発明は，ＥＭＩ測定系の異常を検出する装置であって，特定の周波数のデータまたは特定の周波数の範囲のデータを，前記ＥＭＩ測定系におけるノイズレベルを測定するノイズレベル測定機器に対して設定する周波数設定手段と，前記ノイズレベル測定機器によって測定された前記特定の周波数のノイズレベルまたは前記特定の周波数の範囲のノイズレベルを取得して，予め決められた閾値と比較するノイズレベル比較手段と，前記ノイズレベル比較手段による比較結果に基づいて，前記ＥＭＩ測定系の異常を検出する異常検出手段とを備えることを特徴とするＥＭＩ測定系異常検出装置である。
【００１８】
また，本発明は，ＥＭＩ測定系の異常を検出する装置であって，特定の周波数のデータを前記ＥＭＩ測定系におけるノイズレベルを測定するテストレシーバに対して設定，または，特定の周波数の範囲のデータを前記ＥＭＩ測定系におけるノイズレベルを測定するスペクトラムアナライザに対して設定する周波数設定手段と，前記テストレシーバまたは前記スペクトラムアナライザによって測定された前記特定の周波数のノイズレベルまたは前記特定の周波数の範囲のノイズレベルを取得して，予め決められた閾値と比較するノイズレベル比較手段と，前記ノイズレベル比較手段による比較結果に基づいて，前記ＥＭＩ測定系の異常を検出する異常検出手段と，前記異常検出手段により検出されたＥＭＩ測定系の異常を通知するメッセージを画面表示するメッセージ表示手段とを備えることを特徴とするＥＭＩ測定系異常検出装置である。
【００１９】
また，本発明は，ＥＭＩ測定系の異常を検出する方法であって，特定の周波数のデータまたは特定の周波数の範囲のデータを，前記ＥＭＩ測定系におけるノイズレベルを測定するノイズレベル測定機器に対して設定するステップと，前記ノイズレベル測定機器によって測定された前記特定の周波数のノイズレベルまたは前記特定の周波数の範囲のノイズレベルを取得して，予め決められた閾値と比較するステップと，前記比較結果に基づいて，前記ＥＭＩ測定系の異常を検出するステップとを有することを特徴とするＥＭＩ測定系異常検出方法である。
【００２０】
また，本発明は，ＥＭＩ測定系の異常を検出するプログラムであって，特定の周波数のデータまたは特定の周波数の範囲のデータを，前記ＥＭＩ測定系におけるノイズレベルを測定するノイズレベル測定機器に対して設定する処理と，前記ノイズレベル測定機器によって測定された前記特定の周波数のノイズレベルまたは前記特定の周波数の範囲のノイズレベルを取得して，予め決められた閾値と比較する処理と，前記比較結果に基づいて，前記ＥＭＩ測定系の異常を検出する処理とを，コンピュータに実行させるためのＥＭＩ測定系異常検出プログラムである。
【００２１】
また，本発明は，ＥＭＩ測定系の異常を検出するプログラムを記録したコンピュータ読み取り可能な記録媒体であって，特定の周波数のデータまたは特定の周波数の範囲のデータを，前記ＥＭＩ測定系におけるノイズレベルを測定するノイズレベル測定機器に対して設定する処理と，前記ノイズレベル測定機器によって測定された前記特定の周波数のノイズレベルまたは前記特定の周波数の範囲のノイズレベルを取得して，予め決められた閾値と比較する処理と，前記比較結果に基づいて，前記ＥＭＩ測定系の異常を検出する処理とを，コンピュータに実行させるためのＥＭＩ測定系異常検出プログラムを記録した記録媒体である。
【００２２】
本発明は，例えば，放射ノイズ測定開始前に，データベースから例えば外来ノイズなど常に電波放射している周波数データを取り出して，その周波数をスペクトラムアナライザ等の測定機器に設定してノイズレベルを測定する。そして，測定値が予め決められた閾値以下かどうかを判断し，測定値が閾値を越える場合は，ＥＭＩ測定系に異常はないと判断して通常どおりに測定を開始し，測定値が閾値以下の場合は，ＥＭＩ測定系に異常があると判断して，異常を通知するメッセージを画面表示する。
【００２３】
また，本発明は，例えば，伝導ノイズ測定開始前に，データベースから例えば１００ＫＨｚ〜５００ＫＨｚなど，一定以上のノイズレベルが発生している周波数データを取り出して，その周波数をスペクトラムアナライザ等の測定機器に設定してノイズレベルを測定する。そして，測定値が予め決められた閾値以下かどうかを判断し，測定値が閾値を越える場合は，ＥＭＩ測定系に異常はないと判断して通常どおりに測定を開始し，測定値が閾値以下の場合は，ＥＭＩ測定系に異常があると判断して，異常を通知するメッセージを画面表示する。
【００２４】
従って，本発明によれば，ＥＭＩ測定の開始前に，ＥＭＩ測定系における異常を検出することができる。
【発明の効果】
【００２５】
本発明は，ＥＭＩ測定の開始前に，特定の周波数のノイズレベルをスペクトラムアナライザまたはテストレシーバを用いて測定し，測定結果に基づいて，ＥＭＩ測定系に異常が発生しているかを検出する。そして，ＥＭＩ測定における異常を検出した場合は，異常の発生を通知するメッセージを画面表示して，測定を中断する。測定技術者は，ケーブル接続忘れなどの異常を修正して測定を再開することができる。
【００２６】
従って，本発明によれば，ケーブル接続忘れやアンテナ交換忘れなどの人的ミスを防止できる。また，本発明によれば，アンテナやＬＩＳＮ内の回路故障や，ケーブル断線など，外観から判断できないような異常を検出できるため，測定ミスを防止することができる。よって，本発明によれば，装置開発期間を従来よりも短縮することができる。
【発明を実施するための最良の形態】
【００２７】
以下に，図を用いて，本発明の実施の形態を説明する。本発明の第１の実施の形態においては，放射ノイズ測定開始前に，ＥＭＩ測定系に異常が生じていないかを検出する。
【００２８】
第１の実施の形態では，オープンサイト(Open field EMI test site)におけるＴＶ放送波，電波暗室におけるアンテナ昇降台などの測定機器から発生するノイズなど，常に電波放射している周波数をテストレシーバやスペクトラムアナライザで測定する。
【００２９】
テストレシーバやスペクトラムアナライザとアンテナとの接続ケーブルを接続し忘れた場合は，常に電波放射している周波数において非常に低い測定値が得られる。またアンテナ交換を忘れてバイコニカルアンテナをテストレシーバまたはスペクトラムアナライザに接続したまま２００ＭＨｚ以上を測定した場合や，ログペリオディックアンテナを接続したまま２００ＭＨｚ以下を測定した場合も，同様に非常に低い測定値が得られる。得られた測定値が予め決めた閾値以下であるなら，ケーブル接続忘れやアンテナ交換忘れなどの異常があると判断する。
【００３０】
図１は，本発明の第１の実施の形態におけるＥＭＩ測定系の構成例を示す図である。図１に示すＥＭＩ測定系においては，スペクトラムアナライザ５またはテストレシーバ６が，電波暗室２内のアンテナ昇降台２５から発生するノイズレベルを測定し，ＥＭＩ測定系異常検出装置１が，ノイズレベルの測定値に基づいて，ＥＭＩ測定系に異常が発生したかを判断する。
【００３１】
ＥＭＩ測定系異常検出装置１は，ターンテーブル制御部１０，アンテナ制御部１１，周波数設定部１２，スペアナ画面データ読取部１３，ノイズレベル測定部１４，ノイズレベル比較部１５，測定系異常判定部１６，メッセージ表示部１７，外来ノイズデータベース（ＤＢ）１８を備える。ＥＭＩ測定系異常検出装置１内の各部の機能については後述する。
【００３２】
２は電波暗室，３は電波暗室２内のターンテーブル２３を回転制御するターンテーブルコントローラ，４は電波暗室２内のアンテナ昇降台２５に設置されたアンテナ２４の高さを制御するアンテナ昇降台コントローラ，５はスペクトラムアナライザ，６はテストレシーバである。スペクトラムアナライザ５は，広い周波数の範囲を一度に測定できる測定機器である。テストレシーバ６は，特定の周波数を厳密に測定できる測定機器である。
【００３３】
なお，７はＥＭＩ測定系異常検出装置１とターンテーブルコントローラ３，アンテナ昇降台コントローラ４，スペクトラムアナライザ５，テストレシーバ６との間の接続インタフェースである。接続インタフェース７の例としては，例えばＧＰＩＢ（General Purpose Interface Bus ）インタフェースなどが挙げられる。
【００３４】
電波暗室２内において，２１はＥＵＴ，２２はＥＵＴが配置される木製机，２３は木製机２２が配置されるターンテーブルである。また，２４はＥＵＴ２１からの電波放射を受信するアンテナ，２５はアンテナ２４が設置されるアンテナ昇降台，２６はアンテナ２４とスペクトラムアナライザ５またはテストレシーバ６とを接続する同軸ケーブルである。
【００３５】
ＥＭＩ測定系異常検出装置１内のターンテーブル制御部１０は，ターンテーブル２３を３６０度回転させるための制御信号を，ターンテーブルコントローラ３に対して送信する。アンテナ制御部１１は，アンテナ２４を上下（例えば高さ１ｍ〜４ｍの範囲）に移動するための信号を，アンテナ昇降台コントローラ４に対して送信する。
【００３６】
周波数設定部１２は，選択入力された周波数または周波数の範囲のデータを，外来ノイズＤＢ１８から読み出して，読み出した周波数または周波数の範囲のデータをテストレシーバ６またはスペクトラムアナライザ５に対して設定する。テストレシーバ６またはスペクトラムアナライザ５は，周波数設定部１２によって設定された周波数または周波数の範囲のノイズレベルを測定する。
【００３７】
スペアナ画面データ読取部１３は，スペクトラムアナライザ５によって測定された，アンテナ昇降台２５から生じるノイズレベルを読み取る。ノイズレベル測定部１４は，テストレシーバ６によって測定された，アンテナ昇降台２５から生じるノイズレベルを読み取る。
【００３８】
ノイズレベル比較部１５は，スペアナ画面データ読取部１３またはノイズレベル測定部１４によって測定されたノイズレベルと予め決められた閾値とを比較する。測定系異常判定部１６は，ノイズレベル比較部１５による比較結果に基づいて，ＥＭＩ測定系に異常が発生したかを判断する。具体的には，測定されたノイズレベルが予め決められた閾値以下の場合は，異常が発生したと判断し，測定されたノイズレベルが予め決められた閾値を越える場合は，正常と判断する。
【００３９】
メッセージ表示部１７は，測定系異常判定部１６によってＥＭＩ測定系に異常が発生したと判断された場合に，異常の発生を通知するメッセージを画面表示する。外来ノイズＤＢ１８内には，測定サイトや使用するアンテナ２４の種類やアンテナ昇降台２５の種類に応じた周波数または周波数の範囲のデータが格納されている。
【００４０】
上述した本発明の第１の実施の形態においては，電波暗室２にアンテナ２４を設置して，アンテナ昇降台２５から生じるノイズレベルを測定するが，本発明の適用場所は，電波暗室２内に限られるものではない。
【００４１】
本発明においては，オープンサイトにおいて，ＴＶ放送波やラジオ放送波の周波数のレベルを測定して，測定結果が閾値以下か否かに基づいて，ＥＭＩ測定系における異常を検出してもよい。
【００４２】
例えば，ＥＭＩ測定系異常検出装置１は，ＦＭ放送の周波数付近の約５０ＭＨｚから，テレビの１チャンネルの周波数付近の約１００ＭＨｚまでの周波数の範囲をスペクトラムアナライザ５が測定する周波数の範囲として設定する。そして，例えば，ＥＭＩ測定系異常検出装置１は，スペクトラムアナライザ５によって測定されたＦＭ放送の周波数付近のレベルやテレビの１チャンネルの周波数付近のレベルが閾値以下である場合に，異常が発生したと判断する。
【００４３】
また，本発明においては，例えば，２００ＭＨｚ以上の周波数の範囲のレベルを測定し，測定結果が非常に低い場合に，バイコニカルアンテナからログペリオディックアンテナへの交換を忘れているという異常を検出することができる。
【００４４】
図２は，本発明の第２の実施の形態におけるＥＭＩ測定系の構成例を示す図である。本発明の第２の実施の形態においては，伝導ノイズ測定開始前に，ＥＭＩ測定系に異常が生じていないかを検出する。
【００４５】
図２に示すＥＭＩ測定系において，２７はＬＩＳＮ，２８は電源ラインである。ＬＩＳＮ２７はＡＣ電源に接続されている。図２に示す構成要素のうち，図１に示す構成要素と同符号のものは，対応する図１に示す構成要素と同様である。
【００４６】
第２の実施の形態においては，ＥＵＴ２１から電源ライン２８に流れ出すノイズレベルを，同軸ケーブル２６を通じてスペクトラムアナライザ５またはテストレシーバ６で測定する。
【００４７】
具体的には，ＥＭＩ測定系異常検出装置１の周波数設定部１２は，装置内部の電源フィルタの効きにくい周波数である１００ＫＨｚ〜５００ＫＨｚをスペクトラムアナライザ５に設定し，設定した周波数のノイズレベルを測定させる。周波数設定部１２は，１００ＫＨｚ〜５００ＫＨｚの範囲における特定の周波数のデータをテストレシーバ６に設定してもよい。
【００４８】
１００ＫＨｚ〜５００ＫＨｚの周波数帯では，多くのＩＴ機器で使用しているスイッチング電源のノイズを３０ｄＢμＶ以下に抑えることは簡単ではなく，１５０ＫＨｚにおける規制値である６６ｄＢμＶに対して十分にマージンが取れる程度のフィルタを使用することが多い。このため，多くのＩＴ機器からは，１５０ＫＨｚ付近では４０ｄＢμＶ〜５０ｄＢμＶ程度のノイズが出ていることが多い。
【００４９】
従って，ノイズレベル比較部１５は，スペクトラムアナライザ５またはテストレシーバ６による測定値が，例えば３０ｄＢμＶ以下かを判断する。そして，測定系異常判定部１６は，測定値が例えば３０ｄＢμＶ以下の場合，ＥＭＩ測定系に異常が発生したと判断する。
【００５０】
第２の実施の形態によれば，伝導ノイズ測定開始前に，ケーブル接続忘れやＬＩＳＮ２７の回路故障またはケーブル断線などの異常が発生したことを検出することができる。
【００５１】
図３は，ＥＭＩ測定系の異常検出処理フローの一例を示す図である。なお，異常検出処理の開始前に，ターンテーブル２３とアンテナ２４は固定しておくものとする。
【００５２】
まず，ＥＭＩ測定系異常検出装置１は，周波数または周波数の範囲のデータの選択入力情報を受信し（ステップＳ１），選択入力された周波数または周波数の範囲のデータを外来ノイズＤＢ１８から読み出す（ステップＳ２）。
【００５３】
そして，ＥＭＩ測定系異常検出装置１は，読み出された周波数または周波数の範囲のデータを，スペクトラムアナライザ５またはテストレシーバ６に設定する（ステップＳ３）。例えば，放射ノイズ測定の場合，スペクトラムアナライザ５を用いるときは，ＦＭ放送の周波数からテレビの１チャンネルの周波数が含まれる範囲である，５０ＭＨｚから１００ＭＨｚの周波数の範囲を設定する。また，テストレシーバ６を用いるときは，特定の周波数値（例えば，９１．２５ＭＨｚ）を設定する。
【００５４】
また，例えば，伝導ノイズ測定の場合，スペクトラムアナライザ５を用いるときは，多くのＩＴ機器においてノイズが出やすい１００ＫＨｚ〜５００ＫＨｚの周波数の範囲を設定する。また，テストレシーバ６を用いるときは，特定の周波数値（例えば，１５０ＫＨｚ）を設定する。
【００５５】
そして，ＥＭＩ測定系異常検出装置１は，スペクトラムアナライザ５またはテストレシーバ６によって測定されたノイズレベルを読み込む（ステップＳ４）。ステップＳ４において，スペクトラムアナライザ５によって測定されたノイズレベルを読み込む場合，例えば，スペクトラムアナライザ５の画面を１秒程度保持した上で，ノイズレベルを読み込む。
【００５６】
ＥＭＩ測定系異常検出装置１は，ノイズレベルの測定値が予め決められた閾値以下かを判断し（ステップＳ５），ノイズレベルの測定値が閾値以下なら，ＥＭＩ測定系において異常が発生したと判断する（ステップＳ６）。そして，ＥＭＩ測定系異常検出装置１は，異常の発生を通知するメッセージを画面表示する（ステップＳ７）。
【００５７】
測定技術者は，画面表示されたメッセージを見て，ケーブル断線などのＥＭＩ測定系において生じた異常を修正する。
【００５８】
ノイズレベルの測定値が閾値を越えるなら，ＥＭＩ測定系異常検出装置１は，ＥＭＩ測定系に異常はないと判断し（ステップＳ８），通常のＥＭＩ測定を開始する（ステップＳ９）。
【００５９】
図４（Ａ）または図４（Ｂ）は，スペクトラムアナライザによるノイズレベルの測定値の一例を示す図である。縦軸はｄＢμＶ単位のノイズレベルの値を示し，横軸は周波数（ＭＨｚ）を示している。また太線で示されるレベルは，測定値と比較する閾値であり，図４（Ａ）または図４（Ｂ）では，約３７ｄＢμＶに設定されている。
【００６０】
図４（Ａ）に示すような測定値が得られたとすると，ＥＭＩ測定系異常検出装置１は，例えば９２０ＭＨｚ付近におけるノイズレベルが閾値を越えているため，ＥＭＩ測定系において異常は発生していないと判断する。
【００６１】
一方，例えば図４（Ｂ）に示すような測定値が得られたとすると，ＥＭＩ測定系異常検出装置１は，測定した周波数の範囲全体にわたって，ノイズレベルが閾値以下であるため，ＥＭＩ測定系において異常が発生していると判断する。
【００６２】
本発明は，コンピュータにより読み取られ実行されるプログラムとして実施することもできる。本発明を実現するプログラムは，コンピュータが読み取り可能な，可搬媒体メモリ，半導体メモリ，ハードディスクなどの適当な記録媒体に格納することができ，これらの記録媒体に記録して提供され，または，通信インタフェースを介してネットワークを利用した送受信により提供されるものである。
【００６３】
以上から把握できるように，本発明の実施形態の特徴を述べると，以下のとおりである。
【００６４】
（付記１）  ＥＭＩ測定系の異常を検出する装置であって，
特定の周波数のデータまたは特定の周波数の範囲のデータを，前記ＥＭＩ測定系におけるノイズレベルを測定するノイズレベル測定機器に対して設定する周波数設定手段と，
前記ノイズレベル測定機器によって測定された前記特定の周波数のノイズレベルまたは前記特定の周波数の範囲のノイズレベルを取得して，予め決められた閾値と比較するノイズレベル比較手段と，
前記ノイズレベル比較手段による比較結果に基づいて，前記ＥＭＩ測定系の異常を検出する異常検出手段とを備える
ことを特徴とするＥＭＩ測定系異常検出装置。
【００６５】
（付記２）  ＥＭＩ測定系の異常を検出する装置であって，
特定の周波数のデータを前記ＥＭＩ測定系におけるノイズレベルを測定するテストレシーバに対して設定，または，特定の周波数の範囲のデータを前記ＥＭＩ測定系におけるノイズレベルを測定するスペクトラムアナライザに対して設定する周波数設定手段と，
前記テストレシーバまたは前記スペクトラムアナライザによって測定された前記特定の周波数のノイズレベルまたは前記特定の周波数の範囲のノイズレベルを取得して，予め決められた閾値と比較するノイズレベル比較手段と，
前記ノイズレベル比較手段による比較結果に基づいて，前記ＥＭＩ測定系の異常を検出する異常検出手段と，
前記異常検出手段により検出されたＥＭＩ測定系の異常を通知するメッセージを画面表示するメッセージ表示手段とを備える
ことを特徴とするＥＭＩ測定系異常検出装置。
【００６６】
（付記３）  ＥＭＩ測定系の異常を検出する方法であって，
特定の周波数のデータまたは特定の周波数の範囲のデータを，前記ＥＭＩ測定系におけるノイズレベルを測定するノイズレベル測定機器に対して設定するステップと，
前記ノイズレベル測定機器によって測定された前記特定の周波数のノイズレベルまたは前記特定の周波数の範囲のノイズレベルを取得して，予め決められた閾値と比較するステップと，
前記比較結果に基づいて，前記ＥＭＩ測定系の異常を検出するステップとを有する
ことを特徴とするＥＭＩ測定系異常検出方法。
【００６７】
（付記４）  ＥＭＩ測定系の異常を検出する方法であって，
特定の周波数のデータを前記ＥＭＩ測定系におけるノイズレベルを測定するテストレシーバに対して設定，または，特定の周波数の範囲のデータを前記ＥＭＩ測定系におけるノイズレベルを測定するスペクトラムアナライザに対して設定するステップと，
前記テストレシーバまたは前記スペクトラムアナライザによって測定された前記特定の周波数のノイズレベルまたは前記特定の周波数の範囲のノイズレベルを取得して，予め決められた閾値と比較するステップと，
前記比較結果に基づいて，前記ＥＭＩ測定系の異常を検出するステップと，
前記検出されたＥＭＩ測定系の異常を通知するメッセージを画面表示するステップとを有する
ことを特徴とするＥＭＩ測定系異常検出方法。
【００６８】
（付記５）  ＥＭＩ測定系の異常を検出するプログラムであって，
特定の周波数のデータまたは特定の周波数の範囲のデータを，前記ＥＭＩ測定系におけるノイズレベルを測定するノイズレベル測定機器に対して設定する処理と，
前記ノイズレベル測定機器によって測定された前記特定の周波数のノイズレベルまたは前記特定の周波数の範囲のノイズレベルを取得して，予め決められた閾値と比較する処理と，
前記比較結果に基づいて，前記ＥＭＩ測定系の異常を検出する処理とを，
コンピュータに実行させるためのＥＭＩ測定系異常検出プログラム。
【００６９】
（付記６）  ＥＭＩ測定系の異常を検出するプログラムであって，
特定の周波数のデータを前記ＥＭＩ測定系におけるノイズレベルを測定するテストレシーバに対して設定，または，特定の周波数の範囲のデータを前記ＥＭＩ測定系におけるノイズレベルを測定するスペクトラムアナライザに対して設定する処理と，
前記テストレシーバまたは前記スペクトラムアナライザによって測定された前記特定の周波数のノイズレベルまたは前記特定の周波数の範囲のノイズレベルを取得して，予め決められた閾値と比較する処理と，
前記比較結果に基づいて，前記ＥＭＩ測定系の異常を検出する処理と，
前記検出されたＥＭＩ測定系の異常を通知するメッセージを画面表示する処理とを，
コンピュータに実行させるためのＥＭＩ測定系異常検出プログラム。
【００７０】
（付記７）  ＥＭＩ測定系の異常を検出するプログラムを記録したコンピュータ読み取り可能な記録媒体であって，
特定の周波数のデータまたは特定の周波数の範囲のデータを，前記ＥＭＩ測定系におけるノイズレベルを測定するノイズレベル測定機器に対して設定する処理と，
前記ノイズレベル測定機器によって測定された前記特定の周波数のノイズレベルまたは前記特定の周波数の範囲のノイズレベルを取得して，予め決められた閾値と比較する処理と，
前記比較結果に基づいて，前記ＥＭＩ測定系の異常を検出する処理とを，
コンピュータに実行させるためのＥＭＩ測定系異常検出プログラムを記録した記録媒体。
【００７１】
（付記８）  ＥＭＩ測定系の異常を検出するプログラムを記録したコンピュータ読み取り可能な記録媒体であって，
特定の周波数のデータを前記ＥＭＩ測定系におけるノイズレベルを測定するテストレシーバに対して設定，または，特定の周波数の範囲のデータを前記ＥＭＩ測定系におけるノイズレベルを測定するスペクトラムアナライザに対して設定する処理と，
前記テストレシーバまたは前記スペクトラムアナライザによって測定された前記特定の周波数のノイズレベルまたは前記特定の周波数の範囲のノイズレベルを取得して，予め決められた閾値と比較する処理と，
前記比較結果に基づいて，前記ＥＭＩ測定系の異常を検出する処理と，
前記検出されたＥＭＩ測定系の異常を通知するメッセージを画面表示する処理とを，
コンピュータに実行させるためのＥＭＩ測定系異常検出プログラムを記録した記録媒体。
【図面の簡単な説明】
【００７２】
【図１】第１の実施の形態におけるＥＭＩ測定系の構成例を示す図である。
【図２】第２の実施の形態におけるＥＭＩ測定系の構成例を示す図である。
【図３】ＥＭＩ測定系の異常検出処理フローの一例を示す図である。
【図４】スペクトラムアナライザによるノイズレベルの測定値の一例を示す図である。
【符号の説明】
【００７３】
１  ＥＭＩ測定系異常検出装置
２  電波暗室
３  ターンテーブルコントローラ
４  アンテナ昇降台コントローラ
５  スペクトラムアナライザ
６  テストレシーバ
７  接続インタフェース
１０  ターンテーブル制御部
１１  アンテナ制御部
１２  周波数設定部
１３  スペアナ画面データ読取部
１４  ノイズレベル測定部
１５  ノイズレベル比較部
１６  測定系異常判定部
１７  メッセージ表示部
１８  外来ノイズＤＢ
２１  ＥＵＴ
２２  木製机
２３  ターンテーブル
２４  アンテナ
２５  アンテナ昇降台
２６  同軸ケーブル
２７  ＬＩＳＮ
２８  電源ライン
【図１】
2006234612.tif 000003
【図２】
2006234612.tif 000004
【図３】
2006234612.tif 000005
【図４】
2006234612.tif 000006